(57)【要約】【課題】  中仕切り壁がなくてもガイドレールの取り付けとボックス本体の補強が可能な内部構造を採用し、ボックス本体の製作コストを低減する。【解決手段】  本発明は、前後方向に手前に出し入れ自在な抽斗１０，１１を有する抽斗付きキャビネット２に関する。このキャビネット２は、下端部が底板２２の前縁部に連結されかつ上端部が横梁部材（幕板）２７に連結された状態で、ボックス本体８の前方開口部に配置された支柱２９と、前端部が支柱２９に連結されかつ後端部が後板２５の内面に連結された状態で、ボックス本体８の内部に前後方向に延びて架設された、抽斗１０，１１の幅方向一方側を前後方向に移動自在に支持するガイドレール３１Ｒとを備える。【選択図】      図３
2011092590.tif 000002
【特許請求の範囲】
【請求項１】
前後方向に手前に出し入れ自在な抽斗を有する抽斗付きキャビネットであって、
底板と、この底板の幅方向両端部から立設された左右一対の側板と、前記底板の後端部から立設されかつ前記両側板の後端部同士を繋ぐ後板とを有するボックス本体と、
前記側板の前端上部同士を繋ぐ横梁部材と、
下端部が前記底板の前縁部に連結されかつ上端部が前記横梁部材に連結された状態で、前記ボックス本体の前方開口部に配置された支柱と、
前端部が前記支柱に連結されかつ後端部が前記後板の内面に連結された状態で、前記ボックス本体の内部に前後方向に延びて架設された、前記抽斗の幅方向一方側を前後方向に移動自在に支持するガイドレールと、
を備えていることを特徴とする抽斗付きキャビネット。
【請求項２】
前記抽斗が上下方向に複数段設けられており、前記ガイドレールは、複数段の前記各抽斗に対応してそれぞれ設けられている請求項１に記載の抽斗付きキャビネット。
【請求項３】
前記ガイドレールは、前記ボックス本体の上下方向ほぼ中央部に対応する高さ位置に配置されている請求項１又は２に記載の抽斗付きキャビネット。
【請求項４】
前記側板は、屈曲形成された補強枠部を前端縁部に有する薄板状パネルよりなり、
前端部が前記補強枠部に連結されかつ後端部が前記後板の内面に連結された状態で、前記側板の近傍で前後方向に延びて架設された、前記抽斗の幅方向他方側を前後方向に移動自在に支持する第２のガイドレールを、更に備えている請求項１〜３のいずれか１項に記載の抽斗付きキャビネット。
【請求項５】
前記ボックス本体の前方開口部における前記抽斗以外の部分を開閉自在に閉塞する開き扉を更に備えており、
前記支柱は、前記開き扉の戸当たり部或いは当該開き扉を回動自在に支持する枢着部材の取付部となっている請求項１〜４のいずれか１項に記載の抽斗付きキャビネット。
【請求項６】
上部に洗面カウンターを有する請求項１〜５のいずれか１項に記載の抽斗付きキャビネットと、このキャビネットの上方に設けられたミラーキャビネットとを備えていることを特徴とする洗面台。
【発明の詳細な説明】
【技術分野】
【０００１】
本発明は、例えば、洗面台の構成要素として好適に使用可能である抽斗付きキャビネットと、このキャビネットを有する洗面台に関する。
【背景技術】
【０００２】
従来、マンションや戸建て住宅の浴室に隣接する脱衣場等において、洗面台が使用されている。
この洗面台として、洗面カウンターを上部に有するボックス状の下部キャビネットと、洗面カウンターの後部に立設された横長のバックパネルと、このバックパネルの上面に取り付けられたミラーキャビネットとから主構成されたものが知られている（特許文献１参照）。
【０００３】
上記洗面台の構成要素となる下部キャビネットとして、ボックス本体の前方開口部の一部を開き扉で開閉自在に閉塞するとともに、その前方開口部の残りの部分に１つ又は複数の抽斗を前後方向に出し入れ自在に設けた、抽斗付きキャビネットがある。
かかる抽斗付きキャビネットでは、ボックス本体の内部に立設した中仕切り壁により、開き扉で閉塞される第１収納部と、抽斗を収納する第２収納部とにボックス本体の内部空間を幅方向で区画した内部構造になっている（例えば、特許文献２及び３参照）。
【先行技術文献】
【特許文献】
【０００４】
【特許文献１】特開２００８−５５１１３号公報（図１）
【特許文献２】実開昭６０−１３０４２号公報（第３図及び第４図）
【特許文献３】実開平５−６０３８０号公報（図１〜図４）
【発明の概要】
【発明が解決しようとする課題】
【０００５】
上記従来の抽斗付きキャビネットにおいて、第１収納部と第２収納部とを区画する中仕切り壁は、その前端部が支柱に連結されかつ後端部がボックス本体の後板に連結されており、ボックス本体の強度を向上させる補強機能を有している。
従って、従来の抽斗付きキャビネットでは、上記中仕切り板に、抽斗の幅方向一方側を前後方向に移動自在に支持するガイドレールを取り付けており、当該中仕切り壁はガイドレールの取付機能も担っている。
【０００６】
一方、この種の抽斗付きキャビネットにおいて、第１収納部と第２収納部とを区画する中仕切り壁を省くことができれば、ボックス本体の製作コストを低減することができる。
しかし、上述の通り、従来の抽斗付きキャビネットでは、中仕切り壁がボックス本体の補強機能とガイドレールの取付機能を併有しており、中仕切り壁を省略できない内部構造になっているので、中仕切り壁の省略によってボックス本体の製作コストを低減することができなかった。
【０００７】
本発明は、上記のような従来の問題点に鑑み、中仕切り壁がなくてもガイドレールの取り付けとボックス本体の補強が可能な内部構造を採用することにより、ボックス本体の製作コストを低減できる抽斗付きキャビネットを提供することを目的とする。
【課題を解決するための手段】
【０００８】
（１）  本発明は、前後方向に出し入れ自在な抽斗を有する抽斗付きキャビネットであって、次の（ａ）〜（ｄ）の各部材を備えていることを特徴とする。
（ａ）  底板と、この底板の幅方向両端部から立設された左右一対の側板と、前記底板の後端部から立設されかつ前記両側板の後端部同士を繋ぐ後板とを有するボックス本体
（ｂ）  前記側板の前端上部同士を繋ぐ横梁部材
（ｃ）  下端部が前記底板の前縁部に連結されかつ上端部が前記横梁部材に連結された状態で、前記ボックス本体の前方開口部に配置された支柱
（ｄ）  前端部が前記支柱に連結されかつ後端部が前記後板の内面に連結された状態で、前記ボックス本体の内部に前後方向に延びて架設された、前記抽斗の幅方向一方側を前後方向に移動自在に支持するガイドレール
【０００９】
本発明によれば、抽斗の幅方向一方側を前後方向に移動自在に支持する上記ガイドレールが、その前端部が支柱に連結されかつ後端部が後板の内面に連結された状態で、ボックス本体の内部に前後方向に延びて架設されているので、当該ガイドレール自体がボックス本体の内部の補強梁として機能する。
このため、従来の抽斗付きキャビネットで採用されていた中仕切り壁がなくても、ガイドレールの取り付けとボックス本体の補強が可能な内部構造が得られる。
【００１０】
（２）  また、本発明において、前記抽斗が上下方向に複数段設けられている場合には、前記ガイドレールは、複数段の前記各抽斗に対応してそれぞれ設けられていることが好ましい。
この場合、複数段の各抽斗に対応してそれぞれ設けられたガイドレールにより、ボックス本体が複数の高さ位置で補強されることになるので、当該ガイドレールが１つしかない場合に比べて、ボックス本体の補強をより確実に行うことができる。
【００１１】
（３）  更に、本発明において、前記ガイドレールは、前記ボックス本体の上下方向ほぼ中央部に対応する高さ位置に配置されていることが好ましい。
この場合、ガイドレールがボックス本体の上下方向ほぼ中央部を補強するので、ガイドレールによってボックス本体の上端部や下端部に偏った部分だけを補強する場合に比べて、ボックス本体の補強をより確実に行うことができる。
【００１２】
（４）  本発明において、前記側板が、屈曲形成された補強枠部を前端部に有する薄板状パネルよりなる場合には、前端部が前記補強枠部に連結されかつ後端部が前記後板の内面に連結された状態で、前記側板の近傍で前後方向に延びて架設された、前記抽斗の幅方向他方側を前後方向に移動自在に支持する第２のガイドレールを、更に備えていることが好ましい。
【００１３】
この場合、抽斗の幅方向他方側を前後方向に移動自在に支持する上記第２のガイドレールが、その前端部が補強枠部に連結されかつ後端部が後板の内面に連結された状態で、側板の近傍で前後方向に延びて架設されているので、当該第２のガイドレール自体がボックス本体の側板の補強梁として機能することになる。
このため、第２のガイドレールがない場合に比べて、ボックス本体の側板の曲げ剛性を増大せることができ、ボックス本体の補強をより確実に行うことができる。
【００１４】
（５）  また、本発明において、前記ボックス本体の前方開口部における前記抽斗以外の部分を開閉自在に閉塞する開き扉を更に備えている場合には、前記支柱は、前記開き扉の戸当たり部或いは当該開き扉を回動自在に支持する枢着部材の取付部となっていることが好ましい。
その理由は、上記支柱にはガイドレールの前端が連結され、これによって当該支柱の捩り剛性も増大しているから、かかる支柱を開き扉の戸当たり部や枢着部材の取付部として選定しても、開き扉の開閉時に生じる衝撃や、曲げモーメント及び捩れモーメントに十分に耐えうる耐久性を達成できると考えられるからである。
【００１５】
（６）  本発明の抽斗付きキャビネットは、洗面台の構成要素として好適に使用することができ、この場合の洗面台は、上部に洗面カウンターを有する本発明の抽斗付きキャビネットと、このキャビネットの上方に設けられたミラーキャビネットとを備えている。
【発明の効果】
【００１６】
以上の通り、本発明によれば、中仕切り壁がなくてもガイドレールの取り付けとボックス本体の補強が可能な内部構造となっているので、抽斗付きキャビネットのボックス本体の製作コストを低減することができる。
【図面の簡単な説明】
【００１７】
【図１】本発明の実施形態に係る洗面台を示し、（ａ）は同洗面台の正面図、（ｂ）は同洗面台の側面図である。
【図２】上記洗面台の構成要素である抽斗付きキャビネットを示し、（ａ）は同キャビネットの平面図、（ｂ）は同キャビネットの正面図である。
【図３】上記抽斗付きキャビネットから洗面カウンターを取り外した状態のボックス本体の斜視図である。
【図４】上記抽斗付きキャビネットの側面断面図である。
【図５】右側レールの取付部分の平面断面図である。
【図６】左側レールの取付部分の平面断面図（図３のＡ−Ａ線断面図）である。
【図７】支柱を開き扉の支持部材として機能させる場合の、右側レールの取付部分の平面断面図である。
【図８】レール後端部の取付構造の変形例を示す平面断面図である。
【発明を実施するための形態】
【００１８】
以下、図面を参照しつつ、本発明の実施形態を説明する。なお、本実施形態では、本発明のキャビネットを洗面台の構成要素として適用した場合を想定している。
【００１９】
〔洗面台の構成〕  
図１は、本発明の実施形態に係る洗面台１を示しており、（ａ）はその洗面台１の正面図、（ｂ）はその洗面台１の側面図である。
本実施形態の洗面台１は、マンションや戸建て住宅の浴室に隣接する脱衣場に設置されるものであり、図１に示すように、上部に洗面カウンター３を有するボックス状の下部キャビネット２と、洗面カウンター３の後部に立設された横長のバックパネル４と、このバックパネル４の上側に設けられたミラーキャビネット５とから主構成されている。
【００２０】
上記下部キャビネット２は、浴室で使用する洗剤や洗面具その他の備品を収納するためのものであり、床面の所要箇所に設置される。
本実施形態の下部キャビネット２は、抽斗１０，１１付きのキャビネットであり、ボックス本体８の前方開口部の一部を開き扉９で開閉自在に閉塞するとともに、その前方開口部の残りの部分に、複数（図例では２つ）の抽斗１０，１１が前後方向に出し入れ自在に設けられている。なお、このキャビネット２の具体的構造については後で詳述する。
【００２１】
洗面カウンター３には、洗面ボウル１２が一体成形されており、この洗面ボウル１２は洗面カウンター３の幅方向両端部に渡るワイド設計になっている。
また、洗面カウンター３の後部に設置されたバックパネル４には、流量や水温を調節可能な水栓１３と、この水栓１３で調節された水を吐出させるシャワーヘッド１４が設けられている。水栓１３には、給水管と給湯管（図示せず）が繋げられており、シャワーヘッド１４から吐出された湯水が洗面ボウル１２で受けられて、ボックス本体８内の排水管１５で排出されるようになっている。
【００２２】
ミラーキャビネット５の前面には、中央とその左右両側とで幅サイズの異なる３枚の縦長の鏡１６が設けられている。また、ミラーキャビネット５の内部には、各鏡１６が扉となっている複数の収納ラックが設けられている。
この収納ラックにより、鏡１６の裏側に化粧品や歯ブラシ等を置いておくことができ、利便性が高いものとなっている。また、鏡１６の上側には、左右両側部に渡る横長の照明器具１７が設けられている。この照明器具１７は、鏡１６の下方にあるスイッチ１８を操作することによって点灯し、鏡１６と正対する使用者を正面から照らすようになっている。
【００２３】
〔抽斗付きキャビネットの構成〕
図２は、上記抽斗付きキャビネット２を示し、（ａ）は同キャビネット２の平面図、（ｂ）は同キャビネット２の正面図である。また、図３は、抽斗付きキャビネット２から洗面カウンター３を取り外した状態のボックス本体８の斜視図である。
なお、以下において、ボックス本体８の内空部（収納部）のうち、正面から見て支柱２９の右側の開き扉９に対応する部分を第１収納部２０（図３参照）といい、それ以外の部分を第２収納部２１（図３参照）という。
【００２４】
図２に示すように、本実施形態の抽斗付きキャビネット２（以下、単に「キャビネット２」ということがある。）は、前方が開口したボックス本体８と、このボックス本体８の上部に設けられた洗面カウンター３と、ホックス本体８の下部に設けられた設置台６とを備えている。
洗面カウンター３は、前記洗面ボウル１２の後部側（図２（ａ）の上側）に配置された幅方向に長い接続部１９を有しており、この接続部１９にバックパネル４の下端部が接続される。
【００２５】
また、洗面ボウル１２の中央底部には排水口１２Ａが形成されており、この排水口１２Ａには封水トラップを有する前記排水管１５が接続されている。この排水管１５は、ボックス本体８内の第１収納部２０に収納されている。
図２（ｂ）に示すように、本実施形態のキャビネット２では、ボックス本体８の正面領域のうち、ほぼ右半分の領域（図３の第１収納部２０）が開き扉９で開閉自在に閉塞され、残りのほぼ左半分の領域（図３の第１収納部２１）に各抽斗１０，１１が手前に出し入れ自在に設けられている。
【００２６】
図３に示すように、ボックス本体８は、底板２２と、この底板２２の幅方向両端部から立設された左右一対の側板２３，２４と、底板２２の後端部から立設されかつ両側板２３，２４の後端部同士を繋ぐ後板２５とを有している。
これらの板部材２２〜２５はいずれも薄板状の金属製パネルよりなり、このうち、側板２３，２４の前端縁部を含む外周縁部には、金属製パネルを断面ほぼコの字状の補強枠部２６が屈曲形成されている。
【００２７】
側板２３，２４の前端上部同士は、横梁部材として機能する幕板２７で繋がっており、洗面ボウル１２の張り出し部分を下方から支持する支持部材２８が、当該幕板２７に連結されている。
また、ボックス本体８の前方開口部には支柱２９が配置されている。この支柱２９は、断面が四角形、コの字状或いはＣ字状等に成形された金属製の中空棒状体よりなり、その下端部が底板２２の前縁部に連結され、かつ、その上端部が幕板２７の下端縁に連結されている。この支柱２２は、開き扉９の戸当たり部として機能しており、開き扉９は、ばね付き蝶番等の枢着部材３０（図２（ｂ）参照）によって右側の側板２３に回動自在に取り付けられている。
【００２８】
〔ボックス本体の補強構造〕
ボックス本体８の第２収納部２１には、上下２段の抽斗１０，１１をそれぞれ前後方向に移動自在に支持する、合計４本のガイドレール３１Ｌ，３１Ｒがボックス本体８の内部に前後方向に延びて架設されている。
この４本のガイドレール３１Ｌ，３１Ｒのうち、各抽斗１０，１１の幅方向右側を支持する２本の右側レール３１Ｒは、その前端部が支柱２９に連結され、かつ、その後端部が後板２５の内面に連結されている。
【００２９】
図４は、上記右側レール３１Ｒの取付状態をより具体的に示すための抽斗付きキャビネット２の側面断面図である。また、図５は、右側レール３１Ｒの取付部分の平面断面図である。
図４及び図５に示すように、各右側レール３１Ｒの前端部は、具体的には、前ブラケット３２を介して支柱２９の中途部にビス止めによって連結されており、各右側レール３１Ｒの後端部は、後ブラケット３３を介して後板２５の内面にビス止めによって連結されている。
【００３０】
また、上下一対の右側レール３１Ｒのうち、上側の右側レール３１Ｒは、ボックス本体８の上下方向ほぼ中央部に対応する高さ位置に配置されている。なお、各右側レール３１Ｒの前端部については、前ブラケット３２を使用せずに、当該前端部を支柱２９に直結することにしてもよい。
一方、各抽斗１０，１１の幅方向左側を支持する２本の左側レール３１Ｌは、その前端部が側板２３の補強枠部２６に連結され、かつ、その後端部が後板２５の内面に連結されている。
【００３１】
図６は、左側レール３１Ｌの取付部分の平面断面図、すなわち、上記左側レール３１Ｌの取付状態をより具体的に示すための側板２３の平面断面図（図３のＡ−Ａ線断面図）である。
図６に示すように、各左側レール３１Ｌの前端部は、前ブラケット３２を介して、側板２３の前縁を構成する補強枠部２６にビス止めによって連結されており、各左側レール３１Ｌの後端部は、後ブラケット３３を介して後板２５の内面にビス止めによって連結されている。なお、左右の各レール３１Ｌ，３１Ｒを取り付ける前ブラケット３２と後ブラケット３３は、上下反転することで左右両側に兼用できるようになっている。
【００３２】
〔本実施形態の効果〕
上記構成に係る本実施形態の抽斗付きキャビネット２によれば、抽斗１０，１１の幅方向一方側（図例では右側）を支持するガイドレール３１Ｒの前端部を支柱２９に連結しかつ後端部を後板２５の内面に連結することにより、ガイドレール３１Ｒがボックス本体８の内部に前後方向に延びて架設されているので、当該ガイドレール３１Ｒ自体がボックス本体８の内部の補強梁として機能する。
【００３３】
このため、図３に示すように、従来必要とされていた中仕切り壁がない内部構造にすることができ、当該中仕切り壁がなくても、ガイドレール３１Ｒの取り付けとボックス本体８の補強が可能な内部構造が得られる。
また、本実施形態の抽斗付きキャビネット２によれば、複数段（図例では２段）の各抽斗１０，１１に対応して複数設けられたガイドール３１Ｒにより、ボックス本体８が複数の高さ位置で補強されているので（図４参照）、当該ガイドレール３１Ｒが１つしかない場合に比べて、ボックス本体８の補強をより確実に行うことができる。
【００３４】
また、上下２段のガイドール３１Ｒのうち、上側のガイドレール３１Ｒが、ボックス本体８の上下方向ほぼ中央部に対応する高さ位置に配置されているので、最も撓みが発生し易いボックス本体８の上下方向中央部を効果的に補強することができる。
このため、ガイドレール３１Ｒによってボックス本体８の上端部や下端部に偏った部分だけを補強する場合に比べて、ボックス本体８の補強をより確実に行うことができる。
【００３５】
更に、本実施形態の抽斗付きキャビネット２によれば、抽斗１０，１１の幅方向他方側（図例では左側）を支持するガイドレール３１Ｌの前端部を補強枠部２６に連結しかつ後端部を後板２５の内面に連結することにより、ガイドレール３１Ｌが側板２４の近傍で前後方向に延びて架設されているので、当該ガイドレール３１Ｌ自体がボックス本体８の側板２３の補強梁として機能する。
このため、ガイドレール３１Ｌがない場合に比べて、ボックス本体８の側板２３の曲げ剛性を増大せることができ、ボックス本体８の補強をより確実に行うことができる。
【００３６】
また、本実施形態の抽斗付きキャビネット２によれば、ガイドレール３１Ｒの前端部が支柱２９に連結されており、これによって当該支柱２９の曲げ及び捩り剛性も増大している。このため、支柱２９を開き扉９の戸当たり部として選定しても、開き扉９の開閉時に生じる衝撃に十分に耐えうる耐久性を達成できるという利点もある。
【００３７】
〔その他の変形例〕
今回開示した実施形態は例示であって制限的なものではない。本発明の権利範囲は特許請求の範囲によって示され、特許請求の範囲の構成と均等の範囲内での全ての変更が含まれる。
例えば、上記実施形態では、第２収納部２１に上下２段の抽斗１０，１１を設けているが、この段数に特に制限はなく、３段以上であってもよい。この場合、抽斗の段数が増えるごとに、ガイドレール３１Ｒによるボックス本体８の補強効果が増大する。
【００３８】
もっとも、抽斗は少なくとも１つあればよく、第２収納部２１に抽斗１０を１つしか設けない場合には、その抽斗に対応するガイドレール３１Ｒを、補強効果が最も顕著に得られるボックス本体８の上下方向ほぼ中央部に配置することが好ましい。
また、第２収納部２１に、抽斗用ではない別の収納空間を形成し、この収納空間を小さめの開き扉（図示せず）で開閉自在に閉塞することにしてもよい。
【００３９】
上記実施形態では、支柱２９が開き扉９の戸当たり部になっているが、逆に、この支柱２９に、枢着部材３０を介して開き扉９を回動自在に取り付けてもよい。
図７は、支柱２９を開き扉９の支持部材として機能させる場合の、右側レール３１Ｒの取付部分の平面断面図である。この場合、支柱２９が開き扉９の戸当たりとして機能する場合（図５の場合）よりも高い強度が要求されるので、支柱２９の前後方向の断面高さが図５の場合よりも大きい寸法になっている。
【００４０】
もっとも、本発明では、ガイドレール３１Ｒの前端部が支柱２９に連結されることで当該支柱２９の曲げ及び捩り剛性が増大しているので、支柱２９の断面寸法をそれほど大きく設定する必要はなく、支柱２９を開き扉９の枢着部材３０の取付部として選定しても、開き扉９の開閉時に生じる曲げモーメントや捩れモーメントに十分に耐えうる耐久性を達成できる。
【００４１】
上記実施形態では、各レール３１Ｌ、３１Ｒの前端部を、前ブラケット３２を介して支柱２９や補強枠部２６に取り付けているが、前ブラケット３２を使用せずに、各レール３１Ｌ，３１Ｒの前端部を直接支柱２９や補強枠部２６に取り付けることにしてもよい。
また、例えば図８に示すように、右側レール３１Ｒ（左側レール３１Ｌの場合も同様）の後端部を直角に折り曲げることにより、後壁２５に直接ビス止め可能な取付片３４を右側レール３１Ｒに一体に形成することにしてもよい。この場合、後ブラケット３３が不要となるので、部品点数を低減することができる。
【００４２】
上記実施形態では、支柱２９の上端部を幕板２７に取り付けているが、幕板２７がないタイプのキャビネット２の場合には、その幕板２７に代替する別の横梁部材に支柱２９の上端部を取り付けるようにすればよい。
また、上記実施形態では、ボックス本体８の構成部材（底板２２、側板２３，２４及び後板２５）がすべて金属製パネルで構成されているが、その構成部材は木製パネルであってもよい。
【００４３】
更に、上記実施形態では、抽斗付きキャビネット２を洗面台１に使用しているが、当該キャビネット２をキッチンユニットの下部キャビネットとして使用することもできる。もっとも、この場合には、洗面カウンター３の代わりに流し台がボックス本体８の上部に設けられる。
【符号の説明】
【００４４】
１      洗面台
２      抽斗付きキャビネット
３      洗面カウンター
８      ボックス本体
９      開き扉
１０      抽斗（上側）
１１      抽斗（下側）
１２      洗面ボウル
２０      第１収納部
２１      第２収納部
２２      底板
２３      側板（左側）
２４      側板（右側）
２５      後板
２６      補強枠部
２７      幕板（横梁部材）
２９      支柱
３１Ｌ    左側レール（第２のガイドレール）
３１Ｒ    右側レール（第１のガイドレール）
【図１】
2011092590.tif 000003
【図２】
2011092590.tif 000004
【図３】
2011092590.tif 000005
【図４】
2011092590.tif 000006
【図５】
2011092590.tif 000007
【図６】
2011092590.tif 000008
【図７】
2011092590.tif 000009
【図８】
2011092590.tif 000010